【手続補正書】
【提出日】平成17年2月21日(2005.2.21)
【手続補正１】
【補正対象書類名】特許請求の範囲
【補正対象項目名】全文
【補正方法】変更
【補正の内容】
【特許請求の範囲】
【請求項１】
ユーザが予約録画又は録画したい番組の選択操作を支援するコンテンツ視聴支援装置であって、
放送される各番組コンテンツについての予告シーンを取得し、次回放映予告シーン録画データを作成する予告シーン録画データ作成手段と、
ユーザが番組の予約録画又は録画操作を行なう際に、録画しておいた当該番組の予告シーンを提示する予告シーン提示手段と、
を具備することを特徴とするコンテンツ視聴支援装置。
【請求項２】
前記予告シーン録画データ作成手段は、
放送される各番組コンテンツの予告シーンを識別する予告シーン識別手段と、
識別された予告シーンを録画予約するための予告シーン録画管理手段と、
録画予約されている各予告シーンを録画する予告シーン録画手段と、
を備えることを特徴とする請求項１に記載のコンテンツ視聴支援装置。
【請求項３】
前記予告シーン識別手段は、番組やコンテンツのハイライト・シーンやトピック・ヘッドラインのブックマークを作成するためのシーンが記述されたセグメント情報に基づいてコンテンツ中の予告シーンを識別する、
ことを特徴とする請求項２に記載のコンテンツ視聴支援装置。
【請求項４】
前記予告シーン識別手段は、放送コンテンツ中の次回放映予告シーンを識別することができない場合には、番組終了間際の数分間あるいは当該コンテンツ中の所定範囲を予告シーンと推定する、
ことを特徴とする請求項２に記載のコンテンツ視聴支援装置。
【請求項５】
前記予告シーン録画管理手段は、番組本編が既に録画予約されているコンテンツについての予告シーンを録画予約の対象から除外する、
ことを特徴とする請求項２に記載のコンテンツ視聴支援装置。
【請求項６】
前記予告シーン提示手段は、放映中又は再生中の番組についての次回放送予定のＥＰＧをユーザが見た際に、次回放映予告シーン録画データにある当該番組についての予告シーンを再生する、
ことを特徴とする請求項２に記載のコンテンツ視聴支援装置。
【請求項７】
ユーザが予約録画又は録画したい番組の選択操作を支援するコンテンツ視聴支援方法であって、
放送される各番組コンテンツについての予告シーンを取得し、次回放映予告シーン録画データを作成する予告シーン録画データ作成ステップと、
ユーザが番組の予約録画又は録画操作を行なうに際し、録画しておいた当該番組の予告シーンを提示する予告シーン提示ステップと、
を具備することを特徴とするコンテンツ視聴支援方法。
【請求項８】
前記予告シーン録画データ作成ステップは、
放送される各番組コンテンツの予告シーンを識別する予告シーン識別ステップと、
識別された予告シーンを録画予約するための予告シーン録画管理ステップと、
録画予約されている各予告シーンを録画する予告シーン録画ステップと、
を備えることを特徴とする請求項７に記載のコンテンツ視聴支援方法。
【請求項９】
前記予告シーン識別ステップでは、番組やコンテンツのハイライト・シーンやトピック・ヘッドラインのブックマークを作成するためのシーンが記述されたセグメント情報に基づいてコンテンツ中の予告シーンを識別する、
ことを特徴とする請求項８に記載のコンテンツ視聴支援方法。
【請求項１０】
前記予告シーン識別ステップでは、放送コンテンツ中の次回放映予告シーンを識別することができない場合には、番組終了間際の数分間あるいは当該コンテンツ中の所定範囲を予告シーンと推定する、
ことを特徴とする請求項８に記載のコンテンツ視聴支援方法。
【請求項１１】
前記予告シーン録画管理ステップでは、番組本編が既に録画予約されているコンテンツについての予告シーンを録画予約の対象から除外することを特徴とする請求項８に記載のコンテンツ視聴支援方法。
【請求項１２】
前記予告シーン提示ステップでは、放映中又は再生中の番組についての次回放送予定のＥＰＧをユーザが見た際に、次回放映予告シーン録画データにある当該番組についての予告シーンを再生することを特徴とする請求項８に記載のコンテンツ視聴支援方法。
【請求項１３】
ユーザが予約録画又は録画したい番組の選択操作を支援するための処理をコンピュータ・システム上で実行するようにコンピュータ可読形式で記述されたコンピュータ・プログラムであって、
放送される各番組コンテンツについての予告シーンを取得し、次回放映予告シーン録画データを作成する予告シーン録画データ作成ステップと、
ユーザが番組の予約録画又は録画操作を行なうに際し、録画しておいた当該番組の予告シーンを提示する予告シーン提示ステップと、
を具備することを特徴とするコンピュータ・プログラム。
【手続補正２】
【補正対象書類名】明細書
【補正対象項目名】０００２
【補正方法】変更
【補正の内容】
【０００２】
さらに詳しくは、本発明は、ユーザによる放送コンテンツの予約録画又は録画の作業を支援するコンテンツ視聴支援装置及びコンテンツ視聴支援方法、並びにコンピュータ・プログラムに係り、特に、ＥＰＧ（Ｅｌｅｃｔｒｏｎｉｃ  Ｐｒｏｇｒａｍ  Ｇｕｉｄｅ：電子番組表）などの放送予定番組に関する情報の表示を通してユーザが予約録画又は録画したい番組を判断し易くするコンテンツ視聴支援装置及びコンテンツ視聴支援方法、並びにコンピュータ・プログラムに関する。
【手続補正３】
【補正対象書類名】明細書
【補正対象項目名】０００８
【補正方法】変更
【補正の内容】
【０００８】
例えば、テレビジョン放送の番組を選択するための番組ガイドを画像信号に重畳して伝送し、受信側の表示装置において、これを表示するようにした、いわゆる電子番組ガイド（ＥＰＧ：Ｅｌｅｃｔｒｏｎｉｃ Ｐｒｏｇｒａｍ Ｇｕｉｄｅ）システムが知られている。放送番組の録画処理と並行してＥＰＧを取得しておき、ユーザが録画番組を再生・視聴する際にＥＰＧを提示することによって、一定の視聴支援効果を得ることができる。
【手続補正４】
【補正対象書類名】明細書
【補正対象項目名】００４６
【補正方法】変更
【補正の内容】
【００４６】
チューナ５１は、ＣＰＵ１１からの指示に従い、所定チャネルの放送波のチューニングすなわち選局を行ない、後続の復調器５２に受信データを出力する。復調器５２では、デジタル変調されている受信データを復調する。なお、送信されてくる放送波がアナログかデジタルかに応じて、チューナ５１の構成を適宜変更又は拡張することができる。
【手続補正５】
【補正対象書類名】明細書
【補正対象項目名】００５３
【補正方法】変更
【補正の内容】
【００５３】
シリアル入出力（ＳＩＯ）コントローラ１４は、受信機１０の外部機器とシリアル的なデータ交換を行なうための周辺コントローラである。ＳＩＯコントローラ１４が用意するシリアル・ポートには、アナログ電話回線上の伝送データを変復調するための高速モデム６３が外部接続されている。この高速モデム６３によって所定のアクセス・ポイント（図示しない）にＰＰＰ（Ｐｏｉｎｔ−ｔｏ−Ｐｏｉｎｔ Ｐｒｏｔｏｃｏｌ）接続（又はその他の形式で接続）することで、受信機１０は広域ネットワークとしてのインターネット７に接続され、放送局へのアップリンクを形成することができる。
【手続補正６】
【補正対象書類名】明細書
【補正対象項目名】００５５
【補正方法】変更
【補正の内容】
【００５５】
ハード・ディスク・ドライブ（ＨＤＤ）１７は、プログラムやデータなどを所定フォーマットのファイル形式で蓄積するための外部記憶装置であり、数十〜数百ＧＢ程度の比較的大容量を持つ。ＨＤＤ１７は、ハード・ディスク・インターフェース１６を介してバス５０に接続される。本実施形態では、ＨＤＤ１７は、受信した放送番組の録画・録画予約や再生、次回放映予告シーン録画データ（後述）、番組の関連情報の蓄積などのために利用される。
【手続補正７】
【補正対象書類名】明細書
【補正対象項目名】００６７
【補正方法】変更
【補正の内容】
【００６７】
コンテンツ視聴支援装置としてのビデオ記録再生装置１０上では、これら番組基本情報並びにセグメント情報を利用して、自動的に録画される番組のリストすなわち録画番組リストを生成する。さらに、録画番組リストにエントリされている番組の予告シーンを録画するために、予告シーン録画予約リストを生成する。また、録画番組リストに従って録画された番組のリストを、再生リストとして生成する。
【手続補正８】
【補正対象書類名】明細書
【補正対象項目名】００７４
【補正方法】変更
【補正の内容】
【００７４】
すべての番組に対して予告シーン録画予約リストの追加処理が終了したら（ステップＳ７）、録画予約リストや予告シーン録画予約リストでの重複処理を行なう（ステップＳ８）。例えば、番組本編の既に録画予約されているコンテンツについては、ユーザの視聴が既に確約された状態であり、予告シーンを確認するまでもないと推察されることから、予告シーンを録画予約の対象から除外する。また、予約の優先順位の低いものは、予告シーン録画予約リストから削除する（ステップＳ９）。
【手続補正９】
【補正対象書類名】明細書
【補正対象項目名】００８２
【補正方法】変更
【補正の内容】
【００８２】
録画された予告シーンは、予告シーンをまとめてリストにして表示・再生してもよい。あるいは、後日この予告シーンに該当する次回番組の番組基本情報を含むＥＰＧデータが配信された際に、図７に示したセグメント情報の関連情報１００１と図１１に示した予告シーン録画後の番組基本情報の番組ＩＤ１００１との関連付けによって、ＥＰＧ画面にてこの次回番組の番組基本情報を表示した際に、予告シーン再生を促すボタンやメニューを表示し、予告シーンの再生を促すようにしてもよい。
【手続補正１０】
【補正対象書類名】明細書
【補正対象項目名】００９２
【補正方法】変更
【補正の内容】
【００９２】
チャンネル・サーバでは、非常に多数（例えば最大３００タイトル）の番組をハード・ディスクに録画することが可能であり、録画済タイトルや放送中の番組はすべてカテゴリ別に自動的にグループ化される。ここで、ＭｙＣａｓｔビューは、カテゴリ毎に分類されたカテゴリ別のタイトルを一覧サムネイル表示する画面で、横方向に複数のカテゴリが、上下方向に１つのカテゴリに属するタイトルが２次元配置される。ＭｙＣａｓｔビューを使うと、カテゴリ別に簡単に好きなタイトルや番組を容易に探すことができる。また、カテゴリ内にあるタイトルを順番に連続して再生することもできる。